(57)【要約】【課題】撮影装置を制御する制御装置の処理負担を軽減できるとともに、複数の撮影装置から取得した放射線画像情報の確認処理を効率的に行う。【解決手段】本発明は、放射線画像撮影システムに関するものであり、所定の撮影条件に従って放射線源２４、２６を制御し、被写体３６の放射線画像情報を取得する複数の撮影装置２０、２２、１３４、１３６と、前記撮影条件を設定して前記各撮影装置２０、２２、１３４、１３６を制御する制御装置１８と、前記各撮影装置２０、２２、１３４、１３６に対応して配設され、前記各撮影装置２０、２２、１３４、１３６から取得した前記放射線画像情報を表示する複数の表示装置２８、３０、１４８、１５０とを備える。【選択図】図６
2009254800.tif 000002
【特許請求の範囲】
【請求項１】
所定の撮影条件に従って放射線源を制御し、被写体の放射線画像情報を取得する複数の撮影装置と、
前記撮影条件を設定して前記各撮影装置を制御する制御装置と、
前記各撮影装置に対応して配設され、前記各撮影装置から取得した前記放射線画像情報を表示する複数の表示装置と、
を備えることを特徴とする放射線画像撮影システム。
【請求項２】
請求項１記載のシステムにおいて、
前記制御装置は、前記各撮影装置から取得した前記放射線画像情報に対する画像処理を行うことを特徴とする放射線画像撮影システム。
【請求項３】
請求項１記載のシステムにおいて、
前記表示装置は、前記各撮影装置に設定された前記撮影条件を表示することを特徴とする放射線画像撮影システム。
【請求項４】
請求項１記載のシステムにおいて、
前記表示装置は、前記制御装置が設置される処理室と、前記撮影装置が設置される撮影室との間の隔壁に収納されることを特徴とする放射線画像撮影システム。
【発明の詳細な説明】
【技術分野】
【０００１】
本発明は、撮影装置を用いて被写体の放射線画像情報を取得する放射線画像撮影システムに関する。
【背景技術】
【０００２】
例えば、病院等の医療機関においては、患者の所望の放射線画像情報を取得するため、ＲＩＳ（Ｒａｄｉｏｌｏｇｙ  Ｉｎｆｏｒｍａｔｉｏｎ  Ｓｙｓｔｅｍ）を用いて、患者の氏名、性別、年齢等の患者情報、撮影方法、撮影部位、使用する撮影装置、該当する撮影部位に照射する放射線量を決定するための曝射条件等の撮影条件を医師が設定し、これらの情報を放射線科に設置されたコンソールに供給する一方、現場の技師がコンソールを操作して、指定された撮影装置を曝射条件に従って制御することで患者の放射線画像情報を取得し、取得した放射線画像情報に所定の画像処理を施した後、その放射線画像情報を医師による読影診断を行うビューアに供給する放射線画像撮影システムが構築されている。
【０００３】
撮影を行う際、現場の技師は、設定された撮影条件に従い、撮影装置に対する撮影部位の位置調整等を行い、次いで、曝射スイッチを操作して撮影を行う。撮影によって取得した放射線画像情報は、コンソールに表示される。技師は、コンソールに表示された放射線画像情報を確認し、必要に応じて、撮影部位や曝射条件等の撮影条件を変更して再撮影を行う。
【０００４】
ところで、病院等の医療機関においては、放射線科に複数台の撮影装置が設置されており、各撮影装置を各コンソールによって制御するシステムが構築されている。この場合、例えば、特許文献１に開示された従来技術では、任意のコンソール（コントローラ）により指定した撮影装置（放射線画像読取装置）から取得した放射線画像情報を当該コンソールに送信して処理できるように構成し、放射線画像情報に対する処理を複数のコンソールに分散させることで、コンソールの１台が故障した場合であっても、故障していないコンソールに切り替えて処理を継続することを可能にしている。
【先行技術文献】
【特許文献】
【０００５】
【特許文献１】特開２００２−３１１５２４号公報
【発明の概要】
【発明が解決しようとする課題】
【０００６】
しかしながら、コンソールの切り替えを可能にするためには、各コンソールが同一の処理機能を有していることが必要であり、故障が発生しない場合には、これらの機能は非常に無駄なものになってしまう。また、放射線科には、故障の事態を考慮して複数台のコンソールが配置されることになり、そのためのスペースも必要となる。
【０００７】
そこで、このような不具合を回避するため、コンソールの台数を必要最小限とし、１台のコンソールで複数台の撮影装置を制御可能に構成することが考えられる。
【０００８】
しかしながら、この場合、コンソールの処理負担が増大し、複数台の撮影装置から取得した放射線画像情報を表示するまでに要する時間が長くなってしまう。また、１台のコンソールで複数台の撮影装置を処理する場合、同時に複数の放射線画像情報を表示して確認することはできない。従って、放射線画像情報の確認処理の効率が低下することになる。
【０００９】
本発明の一般的な目的は、撮影装置を制御する制御装置の処理負担を軽減できるとともに、複数の撮影装置から取得した放射線画像情報の確認処理を効率的に行うことのできる放射線画像撮影システムを提供することにある。
【００１０】
本発明の主たる目的は、当該システムに対する省スペース化を達成することのできる放射線画像撮影システムを提供することにある。
【課題を解決するための手段】
【００１１】
本発明の放射線画像撮影システムは、所定の撮影条件に従って放射線源を制御し、被写体の放射線画像情報を取得する複数の撮影装置と、
前記撮影条件を設定して前記各撮影装置を制御する制御装置と、
前記各撮影装置に対応して配設され、前記各撮影装置から取得した前記放射線画像情報を表示する複数の表示装置と、
を備えることを特徴とする。
【発明の効果】
【００１２】
本発明では、各撮影装置から取得した放射線画像情報を各表示装置に表示させるため、制御装置に負担を掛けることなく、複数の放射線画像情報の確認処理を効率的に行うことができる。
【図面の簡単な説明】
【００１３】
【図１】本実施形態の放射線画像撮影システムの構成図である。
【図２】図１に示すシステムの模式的説明図である。
【図３】図１の撮影装置の１つに収納される放射線変換パネルの回路構成図である。
【図４】本実施形態の読取装置の構成図である。
【図５】本実施形態の放射線画像撮影システムを構成するコンソール、撮影装置及び表示装置を中心とする制御ブロック図である。
【図６】本実施形態の放射線画像撮影システムを構成するコンソール、読取装置、表示装置、撮影装置が設置される処理室及び撮影室のレイアウト説明図である。
【発明を実施するための形態】
【００１４】
図１及び図２は、本実施形態の放射線画像撮影システム１０の構成を示す。放射線画像撮影システム１０は、病院内の医療事務処理を管理する医事情報システム１２（ＨＩＳ：Ｈｏｓｐｉｔａｌ  Ｉｎｆｏｒｍａｔｉｏｎ  Ｓｙｓｔｅｍ）と、ＨＩＳ１２の管理下において、放射線科での放射線画像の撮影処理を管理する放射線科情報システム１４（ＲＩＳ：Ｒａｄｉｏｌｏｇｙ  Ｉｎｆｏｒｍａｔｉｏｎ  Ｓｙｓｔｅｍ）と、医師による放射線画像情報の読影診断を行うためのビューア１６と、放射線科の撮影室に隣接する処理室に設置され、仕様形態の異なる複数の撮影装置を集中管理制御するコンソール１８（制御装置）と、撮影室に設置される撮影装置２０、２２と、各撮影装置２０、２２を構成する放射線源２４、２６を駆動し、被写体に放射線を曝射する曝射スイッチ２１、２３と、各撮影装置２０、２２から取得した放射線画像情報を表示する表示装置２８、３０と、撮影装置２２によって放射線変換パネルＰに記録された放射線画像情報を読み取る読取装置３２とを備え、これらが院内ネットワーク３４によって相互に接続されている。院内ネットワーク３４には、必要に応じてさらに他のコンソール、撮影装置等を接続することができる。
【００１５】
撮影装置２０は、立位の状態にある被写体３６の放射線画像情報を取得するための撮影台３８と、放射線源２４と、曝射スイッチ２１からの曝射信号に従って放射線源２４を駆動制御する線源制御ユニット４０とを備える。撮影台３８には、放射線を直接電気信号に変換する固体放射線検出素子からなる放射線変換パネルＤ（図３）が内蔵される。
【００１６】
放射線変換パネルＤは、放射線を感知して電荷を発生させるアモルファスセレン（ａ−Ｓｅ）等の物質からなる光電変換層４２を行列状の薄膜トランジスタ（ＴＦＴ：Ｔｈｉｎ  Ｆｉｌｍ  Ｔｒａｎｓｉｓｔｏｒ）４４のアレイの上に配置した構造を有し、発生した電荷を蓄積容量４６に蓄積した後、各行毎にＴＦＴ４４を順次オンにして、電荷を画像信号として読み出す。図３では、光電変換層４２及び蓄積容量４６からなる１つの画素４８と１つのＴＦＴ４４との接続関係のみを示し、その他の画素４８の構成については省略している。なお、アモルファスセレンは、高温になると構造が変化して機能が低下してしまうため、所定の温度範囲内で使用する必要がある。従って、撮影台３８内に放射線変換パネルＤを冷却する手段を配設することが好ましい。
【００１７】
各画素４８に接続されるＴＦＴ４４には、行方向と平行に延びるゲート線５０と、列方向と平行に延びる信号線５２とが接続される。各ゲート線５０は、ライン走査駆動部５４に接続され、各信号線５２は、読取回路を構成するマルチプレクサ５６に接続される。
【００１８】
ゲート線５０には、行方向に配列されたＴＦＴ４４をオンオフ制御する制御信号Ｖｏｎ、Ｖｏｆｆがライン走査駆動部５４から供給される。この場合、ライン走査駆動部５４は、ゲート線５０を切り替える複数のスイッチＳＷ１と、スイッチＳＷ１の１つを選択する選択信号を出力するアドレスデコーダ５８とを備える。アドレスデコーダ５８には、制御部６０からアドレス信号が供給される。
【００１９】
また、信号線５２には、列方向に配列されたＴＦＴ４４を介して各画素４８の蓄積容量４６に保持されている電荷が流出する。この電荷は、増幅器６２によって増幅される。増幅器６２には、サンプルホールド回路６４を介してマルチプレクサ５６が接続される。マルチプレクサ５６は、信号線５２を切り替える複数のスイッチＳＷ２と、スイッチＳＷ２の１つを選択する選択信号を出力するアドレスデコーダ６６を備える。アドレスデコーダ６６には、制御部６０からアドレス信号が供給される。マルチプレクサ５６には、Ａ／Ｄ変換器６８が接続され、Ａ／Ｄ変換器６８によってデジタル信号に変換された放射線画像情報が制御部６０に供給される。制御部６０は、取得した放射線画像情報を院内ネットワーク３４を介してコンソール１８に供給する。
【００２０】
なお、スイッチング素子として機能するＴＦＴ４４は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００２１】
撮影装置２２は、臥位の状態にある被写体３６の放射線画像情報を取得するための撮影台７０と、放射線源２６と、曝射スイッチ２３からの曝射信号に従って放射線源２６を駆動制御する線源制御ユニット７２とを備える。撮影台７０は、蓄積性蛍光体パネルからなる放射線変換パネルＰを収納したカセッテ７４が装填されるスロット７６を有する。
【００２２】
放射線変換パネルＰは、照射された放射線のエネルギを蓄積する蓄積性蛍光体層を支持体上に形成したもので、励起光を照射することにより蓄積されたエネルギに応じた輝尽発光光を出力する一方、所定光量の消去光を照射することにより残存するエネルギを除去して再使用できるものである。
【００２３】
カセッテ７４は、放射線変換パネルＰを蓋部材７８を介して収脱可能に収納するもので、その外面部には、内部に収納されている放射線変換パネルＰを個別に識別するための固有番号、サイズ、感度等の識別情報が記録されたバーコード８０が装着される。バーコード８０は、コンソール１８に接続されたバーコードリーダ８２によって読み取ることができる。
【００２４】
読取装置３２は、放射線変換パネルＰに記録された放射線画像情報を読み取る装置であり、図４に示すように構成される。
【００２５】
読取装置３２は、ケーシング８４の上部に、カセッテ装填部８６が配設される。カセッテ装填部８６には、放射線画像情報が蓄積記録された放射線変換パネルＰを収納したカセッテ７４が装填される。カセッテ装填部８６には、カセッテ７４に配設されたバーコード８０の識別情報を読み取るバーコードリーダ８８と、カセッテ７４の蓋部材７８のロックを解除するロック解除機構９０と、蓋部材７８が開蓋されたカセッテ７４から放射線変換パネルＰを吸着して取り出す吸着盤９２と、吸着盤９２によって取り出された放射線変換パネルＰを挟持搬送するニップローラ９４とが配設される。
【００２６】
ニップローラ９４に連設して、複数の搬送ローラ９４ａ〜９４ｇ及び複数のガイド板９６ａ〜９６ｆが配設され、これらにより湾曲搬送路９８が構成される。湾曲搬送路９８は、カセッテ装填部８６から下方向に延在した後、最下部において略水平状態となり、次いで、略鉛直上方向に延在する。これにより、読取装置３２の小型化が達成される。
【００２７】
ニップローラ９４と搬送ローラ９４ａとの間には、読取処理が終了した放射線変換パネルＰに残存する放射線画像情報を消去するための消去部１００が配設される。消去部１００は、消去光を出力する冷陰極管等の消去光源１０２を有する。
【００２８】
湾曲搬送路９８の最下部に配設される搬送ローラ９４ｄ、９４ｅ間には、プラテンローラ１０４が配設される。そして、プラテンローラ１０４の上部には、放射線変換パネルＰに蓄積記録された放射線画像情報を読み取る走査ユニット１０６が配設される。
【００２９】
走査ユニット１０６は、励起光であるレーザビームＬＢを導出して放射線変換パネルＰを走査する励起部１０８と、レーザビームＬＢによって励起されて出力される放射線画像情報に係る輝尽発光光を読み取る読取部１１０とを備える。
【００３０】
読取部１１０は、一端部がプラテンローラ１０４上の放射線変換パネルＰに近接して配置される集光ガイド１１２と、集光ガイド１１２の他端部に連結され、放射線変換パネルＰから得られた輝尽発光光を電気信号に変換するフォトマルチプライヤ１１４とを備える。フォトマルチプライヤ１１４によって読み取られた放射線画像情報は、院内ネットワーク３４を介してコンソール１８及び表示装置３０に供給される。
【００３１】
図５は、放射線画像撮影システム１０を構成するコンソール１８、撮影装置２０、２２及び表示装置２８、３０を中心とする制御ブロック図である。
【００３２】
コンソール１８は、ＨＩＳ１２を用いて設定した患者の氏名、性別、年齢等の患者情報、ＲＩＳ１４を用いて医師が設定した当該患者に対する放射線画像情報の撮影方法、撮影部位、使用する撮影装置、使用する撮影装置を構成する放射線源に設定する管電圧、管電流、放射線の曝射時間等の曝射条件を含む撮影条件を院内ネットワーク３４を介して取得するとともに、撮影条件の変更、設定を行う撮影条件設定部１１６と、撮影装置２０、２２を制御する制御部１１８と、撮影装置２０、２２により取得した放射線画像情報に対する画像処理を行う画像処理部１２０と、撮影条件設定部１１６で設定された撮影条件を含む撮影メニューを表示するとともに、画像処理された放射線画像情報を表示する表示部１２２とを備える。
【００３３】
表示装置２８、３０は、制御部１２４と、撮影装置２０、２２の線源制御ユニット４０、７２に設定される撮影条件の変更、設定を行う設定部１２６と、設定された撮影条件を含む撮影メニューを表示するとともに、撮影装置２０、２２により取得した放射線画像情報のプレビュー画像を表示する表示部１３０とを備える。
【００３４】
図６は、コンソール１８、表示装置２８、３０、１４８、１５０、及び、読取装置３２が設置される処理室１３２と、撮影装置２０、２２、１３４、１３６が設置される撮影室１３８ａ〜１３８ｄとのレイアウトの一例を示す。
【００３５】
処理室１３２と各撮影室１３８ａ〜１３８ｄとは、放射線を遮断することのできる隔壁１４０によって分離されており、処理室１３２と各撮影室１３８ａ〜１３８ｄとの間には、技師が出入りするドア１４２ａ〜１４２ｄが設けられる。また、撮影室１３８ａ〜１３８ｄと外部との間には、被写体３６である患者が出入りするドア１４４ａ〜１４４ｄが設けられる。さらに、撮影室１３８ａ〜１３８ｄ内には、被写体３６が衣服を脱着するための更衣室１４６ａ〜１４６ｄが設けられる。一方、処理室１３２側には、各撮影室１３８ａ〜１３８ｄに設置された撮影装置２０、２２、１３４、１３６に対して曝射信号を供給する曝射スイッチ２１、２３、１３５、１３７と、撮影装置２０、２２、１３４、１３６から取得した放射線画像情報を表示する表示装置２８、３０、１４８、１５０とが配設される。
【００３６】
なお、表示装置２８、３０、１４８、１５０は、例えば、液晶パネル、プラズマパネル等のフラットパネルにより構成され、処理室１３２と撮影室１３８ａ〜１３８ｄとの間の隔壁１４０に収納された壁掛け方式の表示装置である。従って、表示装置２８、３０、１４８、１５０が処理室１３２のスペースの一部を占有することは殆どない。また、壁掛け方式であるため、処理室１３２内の技師は、表示装置２８、３０、１４８、１５０の表示内容を確認しやすい。
【００３７】
本実施形態の放射線画像撮影システム１０は、基本的には以上のように構成されるものであり、次にその動作について説明する。
【００３８】
先ず、ＨＩＳ１２を用いて、患者の氏名、性別、年齢等の患者情報が設定され、次いで、医師は、当該患者情報に関連させて、放射線画像の撮影方法、撮影部位、撮影に使用する撮影装置、撮影装置を構成する放射線源に対する管電圧、管電流、放射線の曝射時間等の曝射条件を含む撮影条件を、ＲＩＳ１４を用いて設定する。ＨＩＳ１２及びＲＩＳ１４で設定されたこれらの撮影指示情報は、院内ネットワーク３４を介して、放射線科の処理室１３２に設置されたコンソール１８に送信される。コンソール１８は、送信された撮影指示情報を表示部１２２に表示する。
【００３９】
一方、処理室１３２に待機している技師は、コンソール１８の表示部１２２に表示された撮影指示情報を確認し、必要に応じて、撮影条件設定部１１６を用いて撮影条件の変更、設定を行う。例えば、技師は、医師が選択した撮影装置が使用中であったり、メンテナンス中であったりした場合、撮影条件設定部１１６を用いて使用可能な撮影装置に変更する。また、被写体３６の撮影部位に応じた管電圧、管電流、放射線の照射時間等の撮影条件の変更、設定を行う。
【００４０】
次に、技師は、コンソール１８を用いて、被写体３６に対する撮影処理を開始する。技師は、コンソール１８の表示部１２２に表示された撮影指示情報から被写体３６を選択し、当該被写体３６に対して設定されている撮影条件に基づく撮影装置が設置されている撮影室１３８ａ〜１３８ｄに被写体３６を誘導する。例えば、撮影室１３８ａが選択された場合、被写体３６は、ドア１４４ａから撮影室１３８ａに入り、更衣室１４６ａで着替えを行う。また、技師は、処理室１３２からドア１４２ａを介して撮影室１３８ａに入り、撮影装置２０の撮影台３８の位置調整、被写体３６の撮影姿勢の調整等を行った後、処理室１３２に退出する。
【００４１】
一方、撮影室１３８ａが選択された場合、コンソール１８の制御部１１８は、選択された被写体３６に係る撮影条件を、撮影装置２０の線源制御ユニット４０及び表示装置２８に送信する。線源制御ユニット４０には、撮影条件に基づき、放射線源２４に対する管電圧、管電流、放射線の曝射時間等の曝射条件が設定される。また、表示装置２８の表示部１３０には、患者名、撮影者、撮影日時等が表示されるとともに、撮影メニューである撮影部位の情報、管電圧、管電流、放射線の曝射時間等の曝射条件が表示される。
【００４２】
ここで、表示装置２８は、設定部１２６を有しており、技師は、この設定部１２６を用いて、撮影条件の変更、再設定を行うことができる。変更、再設定された撮影条件は、表示装置２８から撮影装置２０の線源制御ユニット４０に送信されて調整が行われる。また、表示装置２８で変更、再設定された撮影条件は、院内ネットワーク３４を介してコンソール１８に送信され、撮影条件の変更処理が行われる。
【００４３】
なお、表示装置２８の表示部１３０において、ＲＩＳ１４等で設定された標準的な撮影条件と、技師によって変更された撮影条件、例えば、被写体３６の体厚、子供であるか否か、妊婦であるか否か等の撮影条件との差異を表示させることにより、技師による撮影条件の変更の適否を客観的に判断することが可能となる。また、被写体３６が妊婦である場合、撮影条件に関して、アラーム表示やアラーム音による注意喚起をするようにしてもよい。
【００４４】
技師は、表示装置２８の表示部１３０に表示された撮影条件を確認した後、放射線画像情報の撮影を開始する。そこで、技師が曝射スイッチ２１を押下すると、曝射信号が線源制御ユニット４０を介して放射線源２４に供給される。曝射信号が供給された放射線源２４は、線源制御ユニット４０に設定されている曝射条件に従って制御された放射線を出力し、被写体３６に照射する。
【００４５】
被写体３６を透過した放射線は、撮影台３８に収納されている放射線変換パネルＤに照射され、放射線画像情報が記録される。
【００４６】
放射線変換パネルＤ（図３）を構成する各画素４８の光電変換層４２は、入射した放射線を電気信号に変換し、その電気信号が蓄積容量４６に電荷として保持される。次いで、各蓄積容量４６に保持された被写体３６の放射線画像情報である電荷情報は、制御部６０からライン走査駆動部５４及びマルチプレクサ５６に供給されるアドレス信号に従って読み出される。
【００４７】
すなわち、ライン走査駆動部５４のアドレスデコーダ５８は、制御部６０から供給されるアドレス信号に従って選択信号を出力してスイッチＳＷ１の１つを選択し、対応するゲート線５０に接続されたＴＦＴ４４のゲートに制御信号Ｖｏｎを供給する。一方、マルチプレクサ５６のアドレスデコーダ６６は、制御部６０から供給されるアドレス信号に従って選択信号を出力してスイッチＳＷ２を順次切り替え、ライン走査駆動部５４によって選択されたゲート線５０に接続された各画素４８の蓄積容量４６に保持された電荷情報である放射線画像情報を信号線５２を介して順次読み出す。
【００４８】
放射線変換パネルＤの選択されたゲート線５０に接続された各画素４８の蓄積容量４６から読み出された放射線画像情報は、各増幅器６２によって増幅された後、各サンプルホールド回路６４によってサンプリングされ、マルチプレクサ５６を介してＡ／Ｄ変換器６８に供給され、デジタル信号に変換される。デジタル信号に変換された放射線画像情報は、制御部６０により院内ネットワーク３４を介して表示装置２８に送信される。
【００４９】
同様にして、ライン走査駆動部５４のアドレスデコーダ５８は、制御部６０から供給されるアドレス信号に従ってスイッチＳＷ１を順次切り替え、各ゲート線５０に接続されている各画素４８の蓄積容量４６に保持された電荷情報である放射線画像情報を信号線５２を介して読み出し、マルチプレクサ５６、Ａ／Ｄ変換器６８及び制御部６０を介して表示装置２８に送信される。
【００５０】
表示装置２８は、受信した放射線画像情報を表示部１３０に表示させる。この場合、技師は、曝射スイッチ２１に隣接して配置されている表示装置２８の表示部１３０において、撮影された被写体３６の放射線画像情報のプレビュー画像を確認することができる。なお、プレビュー画像は、撮影条件を確認できる程度の解像度であればよい。
【００５１】
プレビュー画像を確認し、取得した放射線画像情報が不適切であると判断したとき、技師は、表示装置２８の設定部１２６又はコンソール１８の撮影条件設定部１１６を用いて撮影条件を変更する。この場合、撮影姿勢や撮影部位の変更が不要であれば、被写体３６を煩わせることなく、曝射スイッチ２１を操作して直ちに再撮影を行うことができる。再撮影によって取得した放射線画像情報は、同様にして、表示装置２８の表示部１３０に表示させて再度確認することができる。
【００５２】
なお、再撮影された放射線画像情報を表示装置２８の表示部１３０に表示する際、前回の撮影で取得した放射線画像情報及び撮影条件を同時に表示させるようにすれば、撮影条件を変更して取得した放射線画像情報が適切であるか否かをより正確に判断することが可能となる。
【００５３】
取得した放射線画像情報が適切である場合、当該放射線画像情報は、撮影装置２０又は表示装置２８からコンソール１８に送信され、画像処理部１２０で所望の画像処理が施された後、院内ネットワーク３４を介してビューア１６に送信される。医師は、ビューア１６に送信された放射線画像情報に基づき、必要な読影診断を行う。
【００５４】
次に、撮影室１３８ｂが選択された場合について説明する。
【００５５】
撮影室１３８ｂの撮影装置２２に接続された表示装置３０の表示部１３０には、表示装置２８の場合と同様に、選択された被写体３６に係る撮影条件が表示される。技師は、表示装置３０において、撮影条件の変更、再設定を行うことができる。また、撮影条件は、表示装置３０から撮影装置２２の線源制御ユニット７２に送信されて設定される。
【００５６】
技師は、コンソール１８に接続されたバーコードリーダ８２を用いて、カセッテ７４に装着されたバーコード８０を読み取ることにより、カセッテ７４に収納されている放射線変換パネルＰを識別するための固有番号、サイズ、感度等の識別情報を取得する。
【００５７】
次いで、前記カセッテ７４を撮影装置２２のスロット７６に装填した後、曝射スイッチ２３を押下することにより、放射線源２６から放射線が出力され、被写体３６に照射される。
【００５８】
被写体３６を透過した放射線は、カセッテ７４に収納されている放射線変換パネルＰに照射され、被写体３６の放射線画像情報が蓄積記録される。
【００５９】
放射線画像情報が記録された放射線変換パネルＰを収納するカセッテ７４は、撮影装置２２から抜き取られた後、読取装置３２のカセッテ装填部８６に装填される。カセッテ７４が装填されると、カセッテ装填部８６に配設されているバーコードリーダ８８がカセッテ７４に装着されたバーコード８０を読み取り、放射線変換パネルＰの固有番号、サイズ、感度等の識別情報を取得する。取得した識別情報は、コンソール１８に接続されたバーコードリーダ８２によって取得した識別情報と照合されることで、被写体３６と放射線画像情報との対応関係が確認される。
【００６０】
識別情報が読み取られると、ロック解除機構９０が駆動され、蓋部材７８のロック状態が解除されて開蓋される。次いで、吸着盤９２が放射線変換パネルＰを吸着し、カセッテ７４から放射線変換パネルＰを取り出してニップローラ９４間に供給する。ニップローラ９４により挟持された放射線変換パネルＰは、搬送ローラ９４ａ〜９４ｇ及びガイド板９６ａ〜９６ｆからなる湾曲搬送路９８を介して、走査ユニット１０６の下部に搬送される。
【００６１】
放射線変換パネルＰは、搬送ローラ９４ｄ及び９４ｅにより略水平方向に副走査搬送される。一方、励起部１０８から出力されたレーザビームＬＢは、プラテンローラ１０４により支持された放射線変換パネルＰに導かれ、放射線変換パネルＰを主走査する。
【００６２】
放射線変換パネルＰは、レーザビームＬＢが照射されることで励起され、蓄積記録されている放射線画像情報に応じた輝尽発光光を出力する。この輝尽発光光は、放射線変換パネルＰの主走査方向に沿って近接配置された集光ガイド１１２の下端部から入射し、内部で反射を繰り返し、上端部のフォトマルチプライヤ１１４に導かれる。フォトマルチプライヤ１１４は、入射した輝尽発光光を電気信号に変換し、これによって、放射線変換パネルＰに蓄積記録されている放射線画像情報が読み取られる。
【００６３】
走査ユニット１０６によって読み取られた放射線画像情報は、院内ネットワーク３４を介して表示装置３０に送信される。表示装置３０は、表示装置２８の場合と同様に、受信した放射線画像情報をプレビュー画像として表示部１３０に表示させる。技師は、表示されたプレビュー画像を確認し、必要に応じて、撮影条件を変更して直ちに再撮影を行うことができる。
【００６４】
一方、取得した放射線画像情報が適切である場合、当該放射線画像情報は、撮影装置２２又は表示装置３０からコンソール１８に送信され、画像処理部１２０で所望の画像処理が施された後、院内ネットワーク３４を介してビューア１６に送信される。医師は、ビューア１６に送信された放射線画像情報に基づき、必要な読影診断を行う。
【００６５】
本実施形態では、複数の撮影装置２０、２２、１３４、１３６に対し、コンソール１８を共有させて処理室１３２の省スペース化を推進することができるとともに、各撮影室１３８ａ〜１３８ｄの撮影装置２０、２２、１３４、１３６毎に取得した放射線画像情報を、コンソール１８での画像処理に先立ち、コンソール１８とは独立に構成した各表示装置２８、３０、１４８、１５０に表示させ、個別に放射線画像情報を確認することができる。
【００６６】
この場合、例えば、各撮影室１３８ａ〜１３８ｄに設置された撮影装置２０、２２、１３４、１３６において、略同時に放射線画像情報を取得した場合であっても、コンソール１８に負担を掛けることなく、個別に配置した表示装置２８、３０、１４８、１５０により放射線画像情報のプレビュー画像を確認することができる。
【００６７】
なお、本発明は、上述した実施形態に限定されるものではなく、本発明の主旨を逸脱しない範囲で自由に変更できることは勿論である。
【００６８】
例えば、上述した放射線変換パネルＤは、入射した放射線の線量を光電変換層４２によって電気信号に直接変換する直接変換方式の放射線検出器であるが、これに代えて、入射した放射線をシンチレータによって一旦可視光に変換した後、この可視光をアモルファスシリコン（ａ−Ｓｉ）等の固体検出素子を用いて電気信号に変換するように構成した間接変換方式の放射線検出器を用いてもよい（特許第３４９４６８３号公報参照）。
【００６９】
また、光読出方式の放射線検出器を利用して放射線画像情報を取得することもできる。この光読出方式の放射線検出器では、マトリクス状に配列された各固体検出素子に放射線が入射すると、その線量に応じた静電潜像が固体検出素子に蓄積記録される。静電潜像を読み取る際には、放射線検出器に読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【００７０】
さらに、本実施形態では、医師によりＨＩＳ１２にて患者情報が設定され、医師又は技師によりＲＩＳ１４にて撮影指示情報が設定され、これらの情報が院内ネットワーク３４を介してコンソール１８に供給される場合について説明した。これに代えて、コンソール１８で患者情報や撮影指示情報を直接設定してもよいし、あるいは、ＨＩＳ１２又はＲＩＳ１４で患者情報及び撮影指示情報を設定してもよい。
【符号の説明】
【００７１】
１０…放射線画像撮影システム
１２…ＨＩＳ
１４…ＲＩＳ
１６…ビューア
１８…コンソール
２０、２２、１３４、１３６…撮影装置
２１、２３、１３５、１３７…曝射スイッチ
２４、２６…放射線源
２８、３０、１４８、１５０…表示装置
３２…読取装置
３４…院内ネットワーク
３６…被写体
４０、７２…線源制御ユニット
１２４…制御部
１２６…設定部
１３２…処理室
１３８ａ〜１３８ｄ…撮影室
Ｄ、Ｐ…放射線変換パネル
【図１】
2009254800.tif 000003
【図２】
2009254800.tif 000004
【図３】
2009254800.tif 000005
【図４】
2009254800.tif 000006
【図５】
2009254800.tif 000007
【図６】
2009254800.tif 000008